【手続補正書】
【提出日】平成22年9月27日(2010.9.27)
【手続補正１】
【補正対象書類名】明細書
【補正対象項目名】発明の名称
【補正方法】変更
【補正の内容】
【発明の名称】針位置検出装置及び指針式時計
【手続補正２】
【補正対象書類名】明細書
【補正対象項目名】０００１
【補正方法】変更
【補正の内容】
【０００１】
この発明は、秒針、分針、時針などの指針の運針位置を検出するための針位置検出装置及び指針式時計に関する。
【手続補正３】
【補正対象書類名】明細書
【補正対象項目名】０００９
【補正方法】変更
【補正の内容】
【０００９】
この発明が解決しようとする課題は、秒針車、分針車、時針車の各回転位置を正確に且つ確実に判断することができる針位置検出装置及び指針式時計を提供することである。
【手続補正４】
【補正対象書類名】明細書
【補正対象項目名】００１０
【補正方法】変更
【補正の内容】
【００１０】
この発明は、上記課題を解決するために、次のような構成要素を備えている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
請求項１に記載の発明に係る針位置検出装置は、
第１光透過孔部（２１）を有する秒針運針用の秒針車（２０）、第２光透過孔部（２８）を有する分針運針用の分針車（２５）、第３光透過孔部（２９）を有する時針運針用の時針車（２７）と、前記秒針車（２０）、前記分針車（２５）、前記時針車（２７）を同一軸上で重なり合った状態で回転した際、前記第１〜第３の各光透過孔部（２１、２８、２９）を光が透過したか否かを検出して前記秒針車（２０）、前記分針車（２５）、前記時針車（２７）の各回転位置を判断するための検出部（１３；３１，３２）とを備えた針位置検出装置において、
前記第１光透過孔部（２１）は、前記秒針車（２０）の基準位置に設けられた第１光透過孔（２１ａ）と、この第１光透過孔（２１ａ）における前記秒針の運針方向側とその反対方向側との両側に異なる間隔の第１、第２の各遮光部（２１d、２１ｅ）を隔てて設けられ、かつ、前記第１光検出孔の回転移動軌跡上にそれぞれ対応して円弧状に設けられた第２、第３の各光透過孔（２１b、２１ｃ）とを備えており、
前記第２光透過孔部（２８）は、前記分針車（２５）の基準位置に設けられた１つの光検出孔（２８）を備えており、
前記第３光透過孔部（２９）は、前記時針車（２７）の基準位置から円周に沿って３０度の角度間隔で設けられた１１個の光検出孔（２９）を備えており、
前記秒針車（２０）は、前記第２、第３の各光透過孔（２１ｂ、２１ｃ）の間で、かつ、前記第１光透過孔（２１ａ）の対角線上の位置に、前記第２、第３の各光透過孔（２１ｂ、２１ｃ）を連結するための第３遮光部（２１ｆ）を備えていることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
請求項２に記載の発明に係る針位置検出装置は、請求項１に記載の針位置検出装置において、
前記秒針車（２０）の前記第１、第２の各遮光部（２１d、２１ｅ）のうち、前記秒針車（２０）の運針方向側に位置する前記第１遮光部（２１d）は、前記第１光検出孔（２１）を基準にして、前記秒針車（２０）の運針方向側に３６度〜４８度程度の角度間隔で設けられており、前記秒針車（２０）の運針方向と反対側に位置する前記第２遮光部（２１ｅ）は、前記第１光検出孔（２１）を基準にして、前記秒針車（２０）の運針方向と反対側に４８度〜６０度程度の角度間隔で設けられていることを特徴とする。
【手続補正９】
【補正対象書類名】明細書
【補正対象項目名】００１５
【補正方法】変更
【補正の内容】
【００１５】
請求項３に記載の発明に係る針位置検出装置は、請求項１に記載の針位置検出装置において、
前記秒針車（２０）の前記第１遮光部（２１d）は、前記第３光検出孔（２１ｃ）の一部に対応して設けられており、前記第２遮光部（２１ｅ）は、前記第２光検出孔（２１ｂ）の一部に対応して設けられており、前記第３遮光部（２１ｆ）は、前記第１光検出孔（２１ａ）に対応して設けられていることを特徴とする。
【手続補正１０】
【補正対象書類名】明細書
【補正対象項目名】００１６
【補正方法】変更
【補正の内容】
【００１６】
請求項４に記載の発明に係る指針式時計は、
請求項１に記載の針位置検出装置と、
この針位置検出装置が設けられた時計ケース（ＴＫ）と、
を備えていることを特徴とする。
【手続補正１１】
【補正対象書類名】明細書
【補正対象項目名】００１７
【補正方法】変更
【補正の内容】
【００１７】
請求項１に記載の発明によれば、秒針車、分針車、時針車が同一軸上で重なり合った状態で回転した際、当該各車にそれぞれ設けられた第１〜第３の各光透過孔部を光が透過したか否かを検出して秒針車、分針車、時針車の各回転位置を正確に且つ確実に判断することができる。
請求項１に記載の発明によれば、そればかりでなく、秒針車は、第２、第３の各光透過孔の間で、かつ、第１光透過孔の対角線上の位置に、第２、第３の各光透過孔を連結するための第３遮光部を備えているので、第１、第２、第３の各光透過孔が設けられている秒針車の機械的な強度を弱くすることなく、確実に光を遮光することができる。
【手続補正１２】
【補正対象書類名】特許請求の範囲
【補正対象項目名】全文
【補正方法】変更
【補正の内容】
【特許請求の範囲】
【請求項１】
第１光透過孔部を有する秒針運針用の秒針車、第２光透過孔部を有する分針運針用の分針車、第３光透過孔部を有する時針運針用の時針車と、前記秒針車、前記分針車、前記時針車を同一軸上で重なり合った状態で回転した際、前記第１〜第３の各光透過孔部を光が透過したか否かを検出して前記秒針車、前記分針車、前記時針車の各回転位置を判断するための検出部とを備えた針位置検出装置において、
前記第１光透過孔部は、前記秒針車の基準位置に設けられた第１光透過孔と、この第１光透過孔における前記秒針の運針方向側とその反対方向側との両側に異なる間隔の第１、第２の各遮光部を隔てて設けられ、かつ、前記第１光検出孔の回転移動軌跡上にそれぞれ対応して円弧状に設けられた第２、第３の各光透過孔とを備えており、
前記第２光透過孔部は、前記分針車の基準位置に設けられた１つの光検出孔を備えており、
前記第３光透過孔部は、前記時針車の基準位置から円周に沿って３０度の角度間隔で設けられた１１個の光検出孔を備えており、
前記秒針車は、前記第２、第３の各光透過孔の間で、かつ、前記第１光透過孔の対角線上の位置に、前記第２、第３の各光透過孔を連結するための第３遮光部を備えていることを特徴とする針位置検出装置。
【請求項２】
前記秒針車の前記第１、第２の各遮光部のうち、前記秒針車の運針方向側に位置する前記第１遮光部は、前記第１光検出孔を基準にして、前記秒針車の運針方向側に３６度〜４８度程度の角度間隔で設けられており、前記秒針車の運針方向と反対側に位置する前記第２遮光部は、前記第１光検出孔を基準にして、前記秒針車の運針方向と反対側に４８度〜６０度程度の角度間隔で設けられていることを特徴とする請求項１に記載の針位置検出装置。
【請求項３】
前記秒針車の前記第１遮光部は、前記第３光検出孔の一部に対応して設けられており、前記第２遮光部は、前記第２光検出孔の一部に対応して設けられており、前記第３遮光部は、前記第１光検出孔に対応して設けられていることを特徴とする請求項１に記載の針位置検出装置。
【請求項４】
請求項１に記載の針位置検出装置と、
この針位置検出装置が設けられた時計ケースと、
を備えていることを特徴とする指針式時計。